(57)【要約】      （修正有）【課題】簡単な構造改良でもって、洗濯物を、吊るし易く、取り込み易く、且つ、干し状態では、下方空間を確保できる洗濯物干し具のハンガー昇降装置を提供する。【解決手段】昇降機構２及び一本のロープ３と、該ロープの一端側を固定させる取り付け部を設けたハンガー本体１と、少なくとも一つの環状部材８とから構成されている。【選択図】図１
0003211193.tif 000002
【実用新案登録請求の範囲】
【請求項１】
多数の吊り下げクリップが設けられたハンガー本体（１）を備えた洗濯物干し具の昇降装置であって、
天井又はベランダ上壁に設けた環状部材（８）と、
昇降機構（２）と、
その一端が前記ハンガー本体（１）に固定されており、前記環状部材（８）を通って前記昇降機構（２）により巻き上げ、巻き降ろしされる少なくとも１本のロープ（３）とから構成され、
該昇降機構（２）の操作によって前記ハンガー本体（１）を、下方の干し作業位置（Ｐ１）と、上方の乾燥位置（Ｐ２）とに昇降可能に構成してある、
ことを特徴とする洗濯物干し具のハンガー昇降装置。
【請求項２】
前記昇降機構（２）が、電動モータ（４）と減速機（５）とから構成され、前記ロープ（３）が前記減速機（５）の出力軸（６）に設けたプーリー（７）に巻回されており、電動によって前記ハンガー本体（１）が下方の干し作業位置（Ｐ１）と、上方の乾燥位置（Ｐ２）とに昇降可能に構成されている、ことを特徴とする請求項１に記載の洗濯物干し具のハンガー昇降装置。
【請求項３】
前記昇降機構（２）が、前記天井又はベランダ上壁に設けた環状部材（８）と前記ロープ（３）とから構成され、前記ロープ（３）の一端が前記ハンガー本体（１）に固定され、前記環状部材（８）を通って下方に伸び、前記ロープ（３）の手動操作による上下操作によって前記ハンガー本体（１）が下方の干し作業位置（Ｐ１）と、上方の乾燥位置（Ｐ２）とに昇降可能に構成され、側壁面又は柱（９）に設けた係止具（１０）に係止される構成とされている、ことを特徴とする請求項１に記載の洗濯物干し具のハンガー昇降装置。
【考案の詳細な説明】
【考案の詳細な説明】
【技術分野】
【０００１】  本考案は、屋内或いはベランダ、軒下等で洗濯物を干すのに用いる洗濯物干し具の改良に関するものである。
【背景技術】
【０００２】  洗濯物を多数、コンパクトに干すことのできる物干し具が多数提案され、販売されている。
このような洗濯物干し具は、折り畳み自在な構造を持ち、不使用時にはコンパクトに折り畳み収納できる使用勝手の優れたもので、非常に普及している。多数のクリップタイプの吊るし手段を備えていることで、靴下、ハンカチ等の小物の吊るし干しから、ハンガータイプでワイシャツや、Ｔシャツや下着などの大き目のサイズのものまでクリップの選択によって干すことができ、非常に便利である。【０００３】  こうした技術に関連する従来技術は、例えば、次の文献に開示されている。
【特許文献１】特開２００５−３２９１８４
【特許文献２】特開２０１６−８７３６８
【考案の概要】
【考案が解決しようとする課題】
【０００４】  上述した物干し具は、その本体上部に大きめのフックが備えられていることで、このフックを物干し竿、物干しロープに係止することで使用されるものである。
ところが、雨天などでは、通常、屋内に干場を探すことになるが、こうした物干し竿、物干しロープは通常張られていないのであり、必要に応じて、緊急に設置することになるが、室内やベランダ等には、こうした便利な係止場所は無いのが実情である。【０００５】  屋内設置の場合には、室内にロープを張って、干し物をぶら下げると室内の低い位置に垂れ下がるために邪魔になり、部屋内を自由に行き来し難くなるという問題がある。
そして、ハンガー本体上部の大きめのフックは、折り畳み式とはいえ、長手のものであるので、天井から大きく垂れ下がることになるので、尚更、干し物が部屋の下方空間が塞がれることになる。こうしたことは、マンションのベランダや軒下でも同じである。
また、こうしたハンガー本体への干し物の吊るし作業は、ハンガー本体を吊り下げた後に行うものであるから、仮に、高い天井位置から吊り下げたとすると、干し物の吊り下げ作業がやり難くなるのであり、吊り下げ作業は低い位置で行い、終われば高い位置に移動できるようにすることができれば望ましい。【０００６】  本考案は、上述した現況に鑑み、多数の干し物を干すことのできるタイプの物干し具を、屋内でも便利に使用でき、干し作業（及び取り込み作業）は低い位置で行い易くし、終われば上方に移動させて下方の部屋空間を確保できて、通行の通常邪魔にならないようにすることのできるハンガーを提供することを目的とする。
【課題を解決するための手段】
【０００７】  本考案にかかる洗濯物干し具の昇降装は、多数の吊り下げクリップが設けられたハンガー本体（１）を備えた洗濯物干し具の昇降装置であって、
天井又はベランダ上壁に設けられた昇降機構（２）と、
その一端が前記ハンガー本体（１）に固定されており、前記昇降機構（２）により巻き上げ、巻き降ろしされる少なくとも１本のロープ（３）とから構成され、
該昇降機構（２）の操作によって前記ハンガー本体（１）を、下方の干し作業位置（Ｐ１）と、上方の乾燥位置（Ｐ２）とに昇降可能に構成してある、
という手段を講じたものである。【０００８】  本考案において、物干し具とは、多数のクリップを備えたタイプもの、多数の放射状の腕を伸ばしたタイプのもの、フレームのハンガーを併存させたタイプ等、その基本構造については問わないものであり、既存の物干し具は全て対象となる。また、多数のクリップが存しないタイプのものも対象である。
更に、もの干し具から上方に折り畳み自在の腕が伸び（収納時は下方に回倒自在の構造がある）、その先端にフックが設けられていて、これをロープ、物干し竿に掛けるタイプのものも考案の対象となる。
【考案の効果】
【０００９】  本考案によれば、昇降機構によってロープを引き操作してハンガー本体を上方に移動でき、緩めることで、自重で下方に降ろすことができるので、先ず、低い位置にある状態で干し物をハンガー本体に楽に吊るす作業を行い得、そしてロープを巻き上げ操作することで、上方の乾燥位置に上昇させて、干し物が垂れ下がることによる下方の通行の邪魔になるのを避けることができるのである。
そして、乾燥が終われば昇降機構でハンガー本体を下降させ、低い楽な位置で取り込み作業を行うことができるのである。
本考案のその他の利点は、以下の実施例の説明から明らかとなろう。
【考案を実施するための最良の形態】
【００１０】  本考案の実施に際しては、前記昇降機構（２）が、電動モータ（４）と減速機（５）とから構成され、前記ロープ（３）が前記減速機（５）の出力軸（６）に設けたプーリー（７）に巻回されており、電動によって前記ハンガー本体（１）が下方の干し作業位置（Ｐ１）と、上方の乾燥位置（Ｐ２）とに昇降可能に構成されているのが好ましい。
このように構成すれば、老人や力の弱い婦女子でも、容易にハンガー本体の昇降を行うことができる。【００１１】  また、前記昇降機構（２）が、前記天井又はベランダ上壁に設けた環状部材（８）と前記ロープ（３）とから構成され、前記ロープ（３）の一端が前記ハンガー本体（１）に固定され、前記環状部材（８）を通って下方に伸び、前記ロープ（３）の手動操作による上下操作によって前記ハンガー本体（１）が下方の干し作業位置（Ｐ１）と、上方の乾燥位置（Ｐ２）とに昇降可能に構成され、側壁面又は柱（９）に設けた係止具（１０）に係止される構成とすることが好ましい。
このように構成すれば、人力ではあるが、ロープの引き操作、緩め操作でハンガー本体の昇降を行うことができるので、電動機を使用しない分、本考案を安価に提供できる。
【図面の簡単な説明】
【００１２】
【図１】本考案にかかる洗濯物干し具の昇降装置の全体を示す斜視図。
【図２】本考案にかかる洗濯物干し具の昇降装置の別態様の概略図
【実施例】
【００１３】  （第１実施例）
本考案にかかる洗濯物干し具の昇降装置の好適実施例について、図面を参照して以下詳述する。
ここでのハンガー本体１は、平面視長方形のフレーム１Ａ（プラスチック製）からなり、所要の間隔で、幅方向に複数の桟１Ｂがかけ渡された構造となっており、それらの桟１Ｂの下側及び前記フレームの下側に、多数のクリップ１Ｃが吊るされるようにもうけられており、これらのクリップに洗濯物をクリップして吊し状態で干すことができる構成とされている。ここでは、簡便な構造の一体物のフレーム１Ａを用いているが、その長方形の長手方向の中間位置で、中折れの折り畳み自在の構成としてもよい。【００１４】  そして、前記フレーム１Ａの４つのコーナー位置から夫々アーム１Ｆ（プラスチック製）が斜め上方に伸びており（不使用時は倒伏している）、前記フレーム１Ａの中央情報位置にある取り付け部材１Ｄに連結されている。そして、この取り付け部材１Ｄには、上方に伸びるフック体１Ｅが設けられており（同様に、不使用時は倒伏している）、通常の干し状態では、このフック体１Ｅを、物干しやロープ等に係止し、垂下させて用いることができる構造とされている。このフック体１Ｅは、単純な鉤形のものとしてよいが、クリップ構造のものとして握り操作で鉤部を開いたり閉じたりできる構造のものとしてもよい。上述のアーム１Ｆの構造であれぱ、前記フレーム１Ａの側を把持すれば、換言すると、前記フック体１Ｅを物干しやロープに掛けて使用しない状態では、前記フック体１Ｅは、フレーム１Ａの上側に折り畳まれる状態、或いは乗っかる倒伏状態となる。【００１５】  前記フレーム１Ａの中央位置には、ロープ取り付け部１Ｇが設けられており、ここに前記ロープ３の一端が留められる構成とされている（ここでは二股分岐されている）。このロープ取り付け部１Ｇは、ハンガー本体１の成型時に一体ものとして形成してもよいし、既存の一般のハンガー本体１に後付けで設けても良い。【００１６】  この実施例では、部屋の天井に、前記ロープ３を通す環状部材８が設けられるが、ここでは、該環状部材８を水平方向にスライドできる保持部材１１が天井に設けられ、前記環状部材８を垂下させる状態でその上端部を係合させる溝を備えていて、前記環状部材８を天井位置で水平方向に所要位置だけ移動させることができるように構成されている。前記保持部材１１は、設けなくとも本考案を実施することはできる。前記環状部材８は、プラスチックで作成されるが、金属製であってもよい。【００１７】  昇降機構２は、ここでは、電動モータ４と、減速機構５と、この減速機構５の出力軸６に設けたプーリー７から構成され、このプーリー７に前記ロープ３の多端部が巻回されていて、前記電動モータ２Ａの駆動によって、前記ロープ３を巻き込み、前記環状部材８を通って前記ハンガー本体１を上方に引き上げることができるようにされている。前記電動モータ４の稼働スイッチ４Ａは、部屋の側壁（柱）に設けられている。前記電動モータ４には、ワンウエイクラッチ４Ｂ（ラチェット機構）が連接されており、上方への引き上げ方向への回転は伝達するが、降下については、ブレーキがかかる状態となる。ハンガー本体１の降下のときは、前記ワンウエイクラッチ４Ｂを解除させて、フリーの状態とし、自重によってハンガー本体１が降下できる構成とされている。【００１���】  従って、ハンガー本体１が下降位置にある状態、即ち、前記ハンガー本体１が下方の干し作業位置Ｐ１にあるときに、干し物をハンガー本体１の多数のクリップに把持させる作業を行い、完了すれば、前記電動モータ２Ａを稼働させて、上方の乾燥位置Ｐ２に引き上げるのである。これによって、干し物が吊り下がることによる下方空間を広く確保することができて、通行の邪魔にならないようにできる。そして、乾燥が終われば、ハンガー本体１を降下させ、取り込み作業を低い位置で楽に行うことができるのである。【００１９】  （第２実施例）
ここでは、上述の昇降機構２の違いについて述べる。即ち、ここでの昇降機構２は、手動操作法式となっていて、前記天井又はベランダ上壁に設けた環状部材８と前記ロープ３とから構成され、前記ロープ３の一端が前記ハンガー本体１に固定され、前記環状部材８を通って下方に伸び、前記ロープ３の手動操作による上下操作によって前記ハンガー本体１が下方の干し作業位置Ｐ１と、上方の乾燥位置Ｐ２とに昇降可能に構成され、側壁面又は柱９に設けた係止具１０に係止される構成とされている。ここでは、ロープ３の他端は、側壁面又は柱９に設けた係止具１０に係止されることとなるが、別途、係止リング１２を結び付けておいて、前記係止具１０に係止させて固定できるようにしてもよい。図２は、簡略化しており、省略部分は、図１を参照とする。
【産業上の利用可能性】
【００２０】  本考案は、ハンガー本体と、低い干し位置と、高い乾燥位置とに昇降させることで、干し作業の容易性と下方空間の確保とを行い得るので、部屋干し、ベランダ干しなど、種々の場所で通行の邪魔にならない実施ができて、広い応用範囲のものである。
【符号の説明】
【００２１】  １：ハンガー本体
２：昇降機構
３：ロープ
４：電動モータ
５：減速機
６：出力軸
７：プーリー
８：環状部材
９：柱
１０：係止具
Ｐ１：干し作業位置
Ｐ２：乾燥位置
【図１】
0003211193.tif 000003
【図２】
0003211193.tif 000004